(57)【要約】【課題】中敷部材が不用意に容器本体から外れてしまうのを抑えつつ、使用者が意図したときに中敷部材を取外すことができるコンパクト容器を提供する。【解決手段】内容物が収容される収容部を備える容器本体１１と、収容部を開放可能に閉塞する蓋体と、容器本体および蓋体それぞれの後端部同士を連結したヒンジ部と、容器本体と蓋体との間に配置された中敷部材５１と、を備えるコンパクト容器１であって、中敷部材は、収容部を覆う本体部と、本体部から下方に向けて延びる装着部５３と、を備え、容器本体には、上面視で湾曲若しくは屈曲した長孔状に形成されるとともに、装着部が挿入された挿入孔１７と、挿入孔の直下に位置し、装着部が収容された装着空間１８と、が形成され、装着部のうちの少なくとも下部に、挿入孔が延びる延在方向の長さが下方に向かうに従い短くなる下方案内部６６が形成されている。【選択図】図４
2018086129.tif 000002
【特許請求の範囲】
【請求項１】
内容物が収容される収容部を備える容器本体と、
前記収容部を開放可能に閉塞する蓋体と、
前記容器本体および前記蓋体それぞれの後端部同士を連結したヒンジ部と、
前記容器本体と前記蓋体との間に配置された中敷部材と、を備えるコンパクト容器であって、
前記中敷部材は、
前記収容部を覆う本体部と、
前記本体部から下方に向けて延びる装着部と、を備え、
前記容器本体には、上面視で湾曲若しくは屈曲した長孔状に形成されるとともに、前記装着部が挿入された挿入孔と、前記挿入孔の直下に位置し、前記装着部が収容された装着空間と、が形成され、
前記装着部のうちの少なくとも下部に、前記挿入孔が延びる延在方向の長さが下方に向かうに従い短くなる下方案内部が形成されていることを特徴とするコンパクト容器。
【請求項２】
前記挿入孔は、
前記延在方向に真直ぐ延びる主孔と、
前記主孔における前記延在方向の両端部からそれぞれ前記延在方向に交差する方向に各別に延びる一対の副孔と、を備えることを特徴とする請求項１に記載のコンパクト容器。
【請求項３】
前記装着部の上部に、前記延在方向の長さが上方に向かうに従い短くなる上方案内部が形成されていることを特徴とする請求項１又は２に記載のコンパクト容器。
【請求項４】
前記装着部には、前記延在方向の外側に向けて突出し、前記容器本体における前記挿入孔の開口周縁部に前記挿入孔の下方から係止する係止突片がそれぞれ設けられ、
それぞれの前記係止突片は、変形可能若しくは破断可能に形成された弱化部を介して前記装着部に連結されていることを特徴とする請求項１から３のいずれか一項に記載のコンパクト容器。
【発明の詳細な説明】
【技術分野】
【０００１】
本発明は、コンパクト容器に関する。
【背景技術】
【０００２】
従来、特許文献１に示されるようなコンパクト容器が知られている。このコンパクト容器は、内容物が収容される収容部を備える容器本体と、収容部を開放可能に閉塞する蓋体と、容器本体および蓋体それぞれの後端部同士を連結したヒンジ部と、容器本体と蓋体との間に配置された中敷部材と、を備える。
【先行技術文献】
【特許文献】
【０００３】
【特許文献１】特開２０１３−１１１４１４号公報
【発明の概要】
【発明が解決しようとする課題】
【０００４】
しかしながら、前記従来のコンパクト容器では、容器本体と中敷部材とが一体成形されており、中敷部材を単独で取外すことが実質的にはできない。
【０００５】
本発明は、このような問題点に鑑みてなされたものであって、中敷部材が不用意に容器本体から外れてしまうのを抑えつつ、使用者が意図したときに中敷部材を取外すことができるコンパクト容器を提供することを目的とする。
【課題を解決するための手段】
【０００６】
上記課題を解決するために、この発明は以下の手段を提案している。
本発明のコンパクト容器は、内容物が収容される収容部を備える容器本体と、前記収容部を開放可能に閉塞する蓋体と、前記容器本体および前記蓋体それぞれの後端部同士を連結したヒンジ部と、前記容器本体と前記蓋体との間に配置された中敷部材と、を備えるコンパクト容器であって、前記中敷部材は、前記収容部を覆う本体部と、前記本体部から下方に向けて延びる装着部と、を備え、前記容器本体には、上面視で湾曲若しくは屈曲した長孔状に形成されるとともに、前記装着部が挿入された挿入孔と、前記挿入孔の直下に位置し、前記装着部が収容された装着空間と、が形成され、前記装着部のうちの少なくとも下部に、前記挿入孔が延びる延在方向の長さが下方に向かうに従い短くなる下方案内部が形成されていることを特徴としている。
【０００７】
この発明によれば、容器本体の挿入孔に装着部を挿入孔の上方から挿入すると、装着部の下方案内部が容器本体における挿入孔の開口周縁部における延在方向の両端部に摺接することで、装着部が挿入孔の上面視形状に沿って弾性変形させられ、装着空間に進入したときに、装着部の弾性力により上面視で直線状の形状に戻る。こうして、中敷部材が容器本体に取付けられる。
挿入孔は上面視で湾曲若しくは屈曲しているため、容器本体に対して中敷部材を引き上げたときに、装着空間内に収容された装着部の前記延在方向の両端部を、容器本体における挿入孔の開口周縁部に、挿入孔の下方から係止させることが可能になり、装着部が挿入孔を上方に通過するのを抑止することができる。これにより、中敷部材が不用意に容器本体から外れてしまうのを抑えることができる。
【０００８】
そしてこの状態からさらに容器本体に対して中敷部材を引き上げると、装着部が、挿入孔の上面視形状に沿って弾性変形させられながら挿入孔に進入することで、装着空間から離脱され、中敷部材が容器本体から取外される。
【０００９】
また、上記のコンパクト容器において、前記挿入孔は、前記延在方向に真直ぐ延びる主孔と、前記主孔における前記延在方向の両端部からそれぞれ前記延在方向に交差する方向に各別に延びる一対の副孔と、を備えてもよい。
この発明によれば、装着部および挿入孔それぞれの延在方向の端部同士の、上面視で延在方向に直交する方向における距離を確保することが可能になり、中敷部材が不用意に容器本体から外れてしまうのをより確実に抑えることができる。
【００１０】
また、上記のコンパクト容器において、前記装着部の上部に、前記延在方向の長さが上方に向かうに従い短くなる上方案内部が形成されていてもよい。
この発明によれば、容器本体に対して中敷部材を引き上げたときに、装着部の上方案内部が容器本体における挿入孔の開口周縁部における延在方向の両端部に摺接することで、装着部が挿入孔の上面視形状に沿って弾性変形させられる。このため、容器本体の挿入孔に装着部を挿入孔の下方から容易に通すことができる。
【００１１】
また、上記のコンパクト容器において、前記装着部には、前記延在方向の外側に向けて突出し、前記容器本体における前記挿入孔の開口周縁部に前記挿入孔の下方から係止する係止突片がそれぞれ設けられ、それぞれの前記係止突片は、変形可能若しくは破断可能に形成された弱化部を介して前記装着部に連結されていてもよい。
この発明によれば、一対の係止突片が、容器本体における挿入孔の開口周縁部に、挿入孔の下方から係止されることで、装着部が挿入孔を上方に通過するのをより確実に抑止することができる。
そしてこの状態からさらに容器本体に対して中敷部材を引き上げると、弱化部が変形若しくは破断して、一対の係止突片が容器本体における挿入孔の開口周縁部に係止されることが解除され、装着部を、挿入孔を上方に通過させることができる。
【発明の効果】
【００１２】
本発明のコンパクト容器によれば、中敷部材が不用意に容器本体から外れてしまうのを抑えつつ、使用者が意図したときに中敷部材を取外すことができる。
【図面の簡単な説明】
【００１３】
【図１】本発明の一実施形態のコンパクト容器における蓋体を開いた状態の上面図である。
【図２】図１中のＩＩ−ＩＩ線に相当する断面図である。
【図３】図１中の要部拡大図である。
【図４】図３中のＩＶ−ＩＶ線に相当する断面図である。
【図５】同コンパクト容器の中敷部材の装着部を展開した上面図である。
【図６】本発明の一実施形態の変形例のコンパクト容器における要部の上面図である。
【図７】本発明の一実施形態の変形例のコンパクト容器における中敷部材を展開した上面図である。
【図８】同中敷部材の側面図である。
【図９】本発明の一実施形態の変形例のコンパクト容器における図４に対応する断面図である。
【図１０】本発明の一実施形態の変形例のコンパクト容器における図４に対応する断面図である。
【発明を実施するための形態】
【００１４】
以下、本発明に係るコンパクト容器の一実施形態を、図１から図１０を参照しながら説明する。
図１および図２に示すように、本実施形態のコンパクト容器１は、例えば、内容物としてのファンデーション等の化粧品が充填された中皿１０１を収容する携帯用の蓋付き容器である。なお、図２では、コンパクト容器１の蓋体３１を閉じた状態を示す。
コンパクト容器１は、中皿１０１が収容される収容部１１ａを備える容器本体１１と、収容部１１ａを開放可能に閉塞する蓋体３１と、容器本体１１および蓋体３１それぞれの後端部同士を連結したヒンジ部４１と、容器本体１１と蓋体３１との間に配置されたシート状の中敷部材５１と、を備える。
【００１５】
容器本体１１は、全体として偏平な有底筒状に形成され、蓋体３１は、全体として偏平な有頂筒状に形成されている。これらの容器本体１１および蓋体３１の各中心軸は、共通軸上に配置されている。以下では、この共通軸を容器軸Ｏといい、容器軸Ｏに沿う方向を上下方向という。上下方向に沿って、蓋体３１の天壁部に対する容器本体１１の底壁部側を下方といい、容器本体１１の底壁部に対する蓋体３１の天壁部側を上方という。コンパクト容器１の上面視において、容器軸Ｏに交差する方向を径方向といい、容器軸Ｏ回りに周回する方向を周方向という。
【００１６】
蓋体３１は、ヒンジ部４１回りに上下方向に回動可能であり、容器本体１１の収容部１１ａを開閉する。以下では、ヒンジ部４１の軸線方向を左右方向といい、上下方向および左右方向の両方向に直交する方向を前後方向という。また、前後方向に沿う容器軸Ｏに対するヒンジ部４１側を後側といい、その反対側を前側という。
【００１７】
容器本体１１は、中皿１０１が収容された内容器１２と、内容器１２が収容された外容器１３と、を有する。内容器１２および外容器１３の各中心軸は、容器軸Ｏ上に配置されている。内容器１２は、収容筒部１５と、収容筒部１５の上端開口縁から径方向外側に向けて延びる環状のフランジ部１６と、を有している。
図３および図４に示すように、フランジ部１６には、上面視で屈曲した長孔状を呈する挿入孔１７が形成されている。
【００１８】
挿入孔１７は、前後方向に真直ぐ延びる主孔１７ａと、主孔１７ａにおける前後方向の両端部からそれぞれ前後方向に交差する方向に各別に延びる一対の副孔１７ｂ、１７ｃと、を備える。
上面視において、副孔１７ｂ、１７ｃは前後方向の外側に向かうに従い漸次、コンパクト容器１の内側に向けて延びている。挿入孔１７は、上面視で全体として径方向の内側に向けて開口し、フランジ部１６を上下方向に貫通している。
図２および図４に示すように、内容器１２における挿入孔１７の直下に位置する部分には、装着空間１８が形成されている。装着空間１８は、内容器１２の外周面と外容器１３の内周面との間に形成された空間である。
【００１９】
図１および図２に示すように、外容器１３は、円板状の底壁部２０と、底壁部２０の外周縁部から立設する周壁部２１と、を有して、偏平な有底筒状に形成されている。内容器１２の収容筒部１５と、外容器１３の底壁部２０と、により、先述の収容部１１ａが画成されている。
外容器１３の前端部には、プッシュピース２３が設けられている。プッシュピース２３は、外容器１３に対して前方に付勢された状態で、後方に向けて押し込み可能に設けられている。
【００２０】
蓋体３１は、偏平な有頂筒状に形成された内蓋３２と、内蓋３２の天壁部を天壁部の上方から覆う外蓋３３と、を有する。内蓋３２および外蓋３３の各中心軸は、容器軸Ｏ上に配置されている。外蓋３３は、内蓋３２の天壁部の上面に接着剤等で固定されている。
内蓋３２の天壁部の下面には、板状の鏡体３５が固定されている。鏡体３５の下面は、光を反射する反射面である。
図１に示すように、内蓋３２の後端部には、ヒンジ凸部３６が設けられている。ヒンジ凸部３６は、内蓋３２から下方に向けて延びている。ヒンジ凸部３６は、外容器１３の後端部に設けられて前方に向けて窪むヒンジ凹部２４の内側に位置している。ヒンジ凹部２４とヒンジ凸部３６とが、左右方向に延びる軸部４２を介して連結されることで、前記ヒンジ部４１が構成されている。
【００２１】
容器本体１１および蓋体３１には、図示しない係合部が各別に設けられている。蓋体３１が閉じられた状態では、容器本体１１および蓋体３１の各係合部が互いに係合することで、蓋体３１のヒンジ部４１回りの回動が規制される。
プッシュピース２３が後方に向けて押し込まれたときにこの係合が解除され、蓋体３１のヒンジ部４１回りの回動が許容される。
【００２２】
図２および図５に示すように、中敷部材５１は、容器本体１１の収容部１１ａを覆う本体部５２と、本体部５２の外周縁部から下方に向けて延びる装着部５３と、本体部５２と装着部５３とを連結する折曲部５４と、を備える。
図示の例では、挿入孔１７の延びる延在方向が前後方向と一致している。以下、コンパクト容器１の上面視において左右方向のうち、容器軸Ｏに対して装着部５３および折曲部５４が配置されている側を左側といい、その反対側を右側という。
【００２３】
本体部５２は、円板状の底壁部５６と、底壁部５６の外周縁部から上方に向けて延びる周壁部５７と、周壁部５７の上端開口縁から径方向外側に向けて延びる環状のフランジ部５８と、を有して、偏平な有底筒状に形成されている。周壁部５７の内径および外径は、上方に向かう従い漸次大きくなる。周壁部５７の前側および後側には、上下方向の位置によらず内径および外径がほぼ一定の直立部５９がそれぞれ設けられている。
【００２４】
フランジ部５８の右端部には、右側に向かうに従い漸次上方に向けて延びる摘み片６１が形成されている。
フランジ部５８の左端部には、上面視で前後方向の長さが長い長方形状を呈する幅広部６２がフランジ部５８から径方向外側に突出するように形成されている。幅広部６２の上面および下面は、フランジ部５８の上面および下面とそれぞれ面一である。
【００２５】
図４および図５に示すように、装着部５３は、表裏面が左右方向を向く板状に形成されている。装着部５３の上端部の前後方向の長さは、挿入孔１７に装着部５３が挿入可能となるように、主孔１７ａにおける前後方向の長さよりも短い。
装着部５３には、上部に上方案内部６５が形成されるとともに、下端部には下方案内部６６が形成されている。
【００２６】
上方案内部６５は、前後方向の長さが上方に向かうに従い短くなる。下方案内部６６は、前後方向の長さが下方に向かうに従い短くなる。
装着部５３は、装着部５３における前後方向の中央部を通り、かつ上下方向に延びる基準線に対して対称形状に形成されている。
装着部５３の上端部と幅広部６２の左端部との接続部分が、前述の折曲部５４である。
【００２７】
装着部５３は、挿入孔１７に挿入されるとともに、装着空間１８に収容されている。図３に示すように、装着空間１８内において、装着部５３は上面視で前後方向に延びる直線状である。装着部５３の前後方向の長さは、主孔１７ａの前後方向の長さと、副孔１７ｂの延びる方向の長さと、副孔１７ｃの延びる方向の長さと、の和以下である。
摘み片６１の前後方向の中央部、本体部５２の前後方向の中央部、幅広部６２の前後方向の中央部、及び装着部５３の前後方向の中央部は、互いに一致している。
【００２８】
図３に示すように、装着部５３の前後方向の端部および挿入孔１７の前後方向の端部それぞれの周方向の位置は、同等となっている。装着部５３の前後方向の端部は、挿入孔１７の前後方向の端部よりも径方向の外側に位置している。
図３および図４に示すように、装着部５３の前後方向の両端部は、容器本体１１のフランジ部１６の下面における挿入孔１７の開口周縁部に上下方向で対向する。なお、装着部５３の前後方向の両端部は、容器本体１１のフランジ部１６の下面における挿入孔１７の開口周縁部に係止してもよい。
挿入孔１７が主孔１７ａおよび副孔１７ｂ、１７ｃを備えた屈曲した形状であるため、上面視において、装着部５３及び挿入孔１７それぞれの前後方向の端部同士の、左右方向の距離Ｌ１が確保される。
中敷部材５１は、例えば、弾性を有するとともに透明な樹脂材料で形成されたシートを真空成形したり、打ち抜き加工したりすること等によって形成されている。
【００２９】
中敷部材５１は、ＰＥＴ（ポリエチレンテレフタレート）により形成されている。中敷部材５１の材質としては、ＰＥＴの他、ＰＰ（ポリプロピレン）などを用いることができる。ＰＥＴおよびＰＰは、曲げ弾性率などの機械的特性に優れるため、中敷部材５１の材質として好ましい。特にＰＥＴは、高い透明度を有しているため、内容物を視認可能な状態で覆うことが可能であり、中敷部材５１の材質として最適である。なお、ＰＥＴおよびＰＰ以外の材質を用いて中敷部材５１を形成してもよい。
【００３０】
図２に示すように、中敷部材５１と蓋体３１との間には、内容物を皮膚等の被塗布部に塗布する塗布具１０３が収容されている。塗布具１０３は、中敷部材５１の本体部５２上に載置されている。
【００３１】
次に、以上のように構成されたコンパクト容器１の動作について説明する。
プッシュピース２３を後方に向けて押し込み、容器本体１１および蓋体３１に設けられた各係合部の係合を解除する。蓋体３１の前端部を引き上げ、蓋体３１を、ヒンジ部４１回りに上方に向けて回動する。中敷部材５１の本体部５２上から、塗布具１０３を取出す。
使用者は、例えば中敷部材５１の摘み片６１を手で摘み、容器本体１１に対して中敷部材５１を引き上げ、本体部５２を上方に向けて折曲部５４回りに回動する。そして、中皿１０１に充填された内容物を塗布具１０３に付着させ、内容物を被塗布部に塗布する。
【００３２】
以上説明したように、本実施形態のコンパクト容器１によれば、容器本体１１の挿入孔１７に装着部５３を挿入孔１７の上方から挿入すると、装着部５３の下方案内部６６が容器本体１１における挿入孔１７の開口周縁部における前後方向の両端部に摺接することで、装着部５３が挿入孔１７の上面視形状に沿って弾性変形させられ、装着空間１８に進入したときに、装着部５３の弾性力により上面視で直線状の形状に戻る。こうして、中敷部材５１が容器本体１１に取付けられる。
挿入孔１７は上面視で屈曲しているため、容器本体１１に対して中敷部材５１を引き上げたときに、装着空間１８内に収容された装着部５３の前後方向の両端部を、容器本体１１における挿入孔１７の開口周縁部に、挿入孔１７の下方から係止させることが可能になり、装着部５３が挿入孔１７を上方に通過するのを抑止することができる。これにより、中敷部材５１が不用意に容器本体１１から外れてしまうのを抑えることができる。
【００３３】
そしてこの状態からさらに容器本体１１に対して中敷部材５１を引き上げると、装着部５３が、挿入孔１７の上面視形状に沿って弾性変形させられながら挿入孔１７に進入することで、装着空間１８から離脱され、中敷部材５１が容器本体１１から取外される。
従って、使用者が意図したときに容器本体１１から中敷部材５１を取外すことができる。
【００３４】
装着部５３に上方案内部６５が形成されている。これにより、容器本体１１に対して中敷部材５１を引き上げたときに、装着部５３の上方案内部６５が容器本体１１における挿入孔１７の開口周縁部における前後方向の両端部に摺接することで、装着部５３が挿入孔１７の上面視形状に沿って弾性変形させられる。このため、容器本体１１の挿入孔１７に装着部５３を挿入孔１７の下方から容易に通すことができる。
挿入孔１７は、主孔１７ａおよび副孔１７ｂ、１７ｃを備えた屈曲した形状である。従って、装着部５３および挿入孔１７それぞれの左右方向の端部同士の、上面視で左右方向における距離を確保することが可能になり、中敷部材５１が不用意に容器本体１１から外れてしまうのをより確実に抑えることができる。
【００３５】
本実施形態のコンパクト容器１は、以下に説明するようにその構成を様々に変形させることができる。
図６に示すコンパクト容器１Ａでは、容器本体１１に形成される挿入孔７１は、上面視で湾曲した長孔状に形成されている。この変形例では、挿入孔７１は、上面視で左側に向かって凸となるように湾曲している。挿入孔７１をこのように形成しても、装着空間１８内に収容された装着部５３の前後方向の両端部を、容器本体１１における挿入孔７１の開口周縁部に、挿入孔７１の下方から係止させることができるため、中敷部材５１が不用意に容器本体１１から外れてしまうのを抑えることができる。
【００３６】
図７および図８に示す中敷部材７６は、図１から図５に示す中敷部材５１の本体部５２に代えて、本体部７７を備えている。本体部７７は、前述の底壁部５６と、底壁部５６の右端部に第１連結部７８を介して設けられた摘み片６１と、底壁部５６の左端部に第２連結部７９を介して設けられた幅広部６２と、を有している。
第１連結部７８および第２連結部７９は、それぞれ底壁部５６の外周縁部から径方向外側に向けて突出し、矩形の板状に形成されている。第１連結部７８の前後方向の長さは、摘み片６１の前後方向の長さに等しい。第２連結部７９の前後方向の長さは、幅広部６２の前後方向の長さに等しい。
【００３７】
第１連結部７８及び第２連結部７９は、径方向外側に向かうに従い漸次上方に向けて延びている。
摘み片６１の前後方向の中央部、第１連結部７８の前後方向の中央部、底壁部５６の前後方向の中央部、第２連結部７９の前後方向の中央部、幅広部６２の前後方向の中央部、及び装着部５３の前後方向の中央部は、互いに一致している。
装着部５３は、図８に二点鎖線で示されるように、本体部７７の左端部から下方に向けて延びるように折り曲げられて使用される。
【００３８】
中敷部材７６は、例えば樹脂材料で形成されたシートから製造される。この場合、シートを所定の形状に打抜いた後で、摘み片６１と第１連結部７８との接続部、第１連結部７８と底壁部５６との接続部、底壁部５６と第２連結部７９との接続部、第２連結部７９と幅広部６２との接続部、及び、幅広部６２と装着部５３との接続部に、予めプレス加工等で他の部分よりも強度が弱い強度低下部を形成しておくことが好ましい。
こうすることで、中敷部材７６が底壁部５６と第１連結部７８との接続部等で折った形状に曲げ癖を付けやすくなり、中敷部材７６を折った形状を保持しやすくなる。
【００３９】
図９に示すコンパクト容器１Ｂでは、中敷部材８１が図１から図５に示す中敷部材５１の装着部５３に代えて装着部８２を備えている。装着部８２は、装着部５３の上方案内部６５に代えて、装着部８２から弱化部８４を介して前後方向の外側に向けて突出する係止突片８５がそれぞれ設けられている。すなわち、一対の係止突片８５の一方は装着部８２から弱化部８４を介して前側に向けて突出し、一対の係止突片８５の他方は装着部８２から弱化部８４を介して後側に向けて突出している。それぞれの係止突片８５は、弱化部８４を介して装着部８２に連結されている。
図９に示す左右方向に見たときに、弱化部８４の最小となる長さＬ３は、装着部８２および係止突片８５の最小となる長さに比べて短い。なお、弱化部８４、装着部８２、および係止突片８５の厚さ（左右方向の長さ）は、互いに等しい。このため、弱化部８４は装着部８２および係止突片８５に比べて変形若しくは破断しやすい。
それぞれの係止突片８５は、容器本体１１における挿入孔１７の開口周縁部に挿入孔１７の下方から係止する。
【００４０】
このように構成された変形例のコンパクト容器１Ｂでは、一対の係止突片８５が、容器本体１１における挿入孔１７の開口周縁部に、挿入孔１７の下方から係止されることで、装着部８２が挿入孔１７を上方に通過するのをより確実に抑止することができる。
そしてこの状態からさらに容器本体１１に対して中敷部材８１を引き上げると、弱化部８４が変形若しくは破断して、一対の係止突片８５が容器本体１１における挿入孔１７の開口周縁部に係止されることが解除され、装着部８２を、挿入孔１７を上方に通過させることができる。
【００４１】
図１０に示すコンパクト容器１Ｃでは、中敷部材９１が図１から図５に示す中敷部材５１の装着部５３に代えて装着部９２を備えている。装着部９２は、装着部５３において上方案内部６５を備えない構成である。
装着部９２では、下方案内部６６は、装着部９２の下端から装着部９２の上部まで形成されている。この変形例では、容器本体１１における挿入孔１７の開口周縁部に係止する装着部９２の上縁部は、前後方向に延びるように形成されている。この変形例では、例えば装着部９２の厚さを５００μｍ（マイクロメートル）以下にすることで、装着部９２を弾性変形させやすくなり、中敷部材９１を容器本体１１から取外すことが容易になる。
このように構成された変形例のコンパクト容器１Ｃによっても、容器本体１１に対して中敷部材９１を引き上げたときに、装着部９２が容器本体１１における挿入孔１７の開口周縁部における前後方向の両端部に摺接し、装着部９２が挿入孔１７の上面視形状に沿って弾性変形することで、中敷部材９１を容器本体１１から容易に取外すことができる。
【００４２】
以上、本発明の一実施形態について図面を参照して詳述したが、具体的な構成はこの実施形態に限られるものではなく、本発明の要旨を逸脱しない範囲の構成の変更、組み合わせ、削除等も含まれる。
【符号の説明】
【００４３】
１、１Ａ、１Ｂ、１Ｃ  コンパクト容器
１１  容器本体
１１ａ  収容部
１７、７１  挿入孔
１７ａ  主孔
１７ｂ、１７ｃ  副孔
１８  装着空間
３１  蓋体
４１  ヒンジ部
５１、７６、８１、９１  中敷部材
５２、７７  本体部
５３、８２、９２  装着部
６５  上方案内部
６６  下方案内部
８４  弱化部
８５  係止突片
【図１】
2018086129.tif 000003
【図２】
2018086129.tif 000004
【図３】
2018086129.tif 000005
【図４】
2018086129.tif 000006
【図５】
2018086129.tif 000007
【図６】
2018086129.tif 000008
【図７】
2018086129.tif 000009
【図８】
2018086129.tif 000010
【図９】
2018086129.tif 000011
【図１０】
2018086129.tif 000012